(57)【要約】【課題】ＬＣＤライトバルブを光源したプロジェクションディスプレイでは、投影される映像光が、偏光性を有するために、従来のＣＲＴ光源では発生しなかった偏光に起因する色むらが発生した。【解決手段】プロジェクションスクリーンを構成するフレネルレンズシートをベースシートの上にフレネルレンズ部が熱キャスト法またはＵＶキャスト法で形成し、このベースシートの波長５９０ｎｍにおける複屈折の位置による変化率を４０ｎｍ／ｃｍ以下とした。【選択図】　　　　　図１
2004085736.tif 000002
【特許請求の範囲】
【請求項１】
ＬＣＤライトバルブを光源としたプロジェクションディスプレイに使用されるプロジェクションスクリーンにおいて、このプロジェクションスクリーンは少なくとも２枚以上の光学機能を有するシートまたはフィルムから構成され、少なくとも光源からの光を略平行光へと集光させるフレネルレンズシートを有し、このフレネルレンズシートは、ベースシートの上にフレネルレンズ部が熱キャスト法またはＵＶキャスト法で形成されており、このベースシートの波長５９０ｎｍにおける複屈折の位置による変化率が４０ｎｍ／ｃｍ以下であることを特徴とするプロジェクションスクリーン。
【請求項２】
請求項１記載のフレネルレンズシート用ベースシートの最大複屈折量が１０００ｎｍ以下であることを特徴とするプロジェクションスクリーン。
【請求項３】
フレネルレンズシートのフレネルレンズ面への入射角の最大値が０°以上３８°以下であることを特徴とする請求項１または請求項２いずれか記載のプロジェクションスクリーン。
【請求項４】
フレネルレンズ用ベースシートの少なくとも１面にエンボス形状が付与されていることを特徴とする請求項１から請求項３いずれか記載のプロジェクションスクリーン。
【発明の詳細な説明】
【０００１】
【発明の属する技術分野】
本発明は、ディスプレイの中で、ＬＣＤライトバルブ等の偏光性を有する光源に対して使用されるプロジェクションスクリーンに関する。特に、光源からの光を略平行光へ集光する機能を有するフレネルレンズのベースシートに関する。
【０００２】
【従来の技術】
プロジェクションディスプレイ（背面投影型ディスプレイ）４０は、図１に示すように従来、１つの筐体の中に、投影用の光源（以下、光源と表記）４１として、ＣＲＴが使用され、投影された映像の結像面（表示部）に、一般的には、フレネルレンズシート４４とレンチキュラーレンズ４３と呼ばれる２枚のレンズシートを組み合わせたプロジェクションスクリーン４５を配して１つのディスプレイ４０としたものが主流であった。筐体の奥行きを減少させるため、ミラー４２が数枚組み込まれるのが一般的である。
【０００３】
近年、ディスプレイの小型化薄型化の要求と、ＣＲＴ以外の明るく、解像度が高く、小型な光源として利用できるＬＣＤライトバルブ方式やＤＭＤ方式のものが量産化されたことに伴い、さまざまなタイプのプロジェクションディスプレイが開発され、実用されている。この中で、ＬＣＤライトバルブを光源としたプロジェクションディスプレイでは、投影される映像光が、ＬＣＤライトバルブの特性として強い偏光性を有するために、従来のＣＲＴ光源では発生しなかった偏光に起因する色むらが発生した。特に、この色むらはディスプレイの薄型化のために生じる投影距離（光源からプロジェクションスクリーンまでの距離）の減少によって顕著になる。この事は、特開２００２−９０８９１に詳しく開示されている。
【０００４】
この偏光に起因する色むらは、プロジェクションスクリーン４５を構成するフレネルレンズ４４として、材料に複屈折性を有するものをベースシート１として、フレネルレンズ４４を作成した時に強く見られる。図２と図３を用いて説明を行うと、映像光１０が複屈折性を有する材料であるベースシート１を通過時に発生する偏光性の程度と、フレネルレンズ４４のレンズ面３へ入光し屈折出光する時のｐ偏光（光線の進行方向と入光点（出光点）の垂線がなす平面と同一平面内の振動の光）とｓ偏光（光線の進行方向と入光点（出光点）の垂線がなす平面と垂直方向の振動の光）による反射率の差によって発生する。特に、臨界角に近い角度でフレネルレンズ面３から出光する時に、ｐ偏光とｓ偏光の透過率差が大きくなる。これは、それぞれの偏光成分の反射率が、フレネルの公式による次式で与えられることから解る。
Ｒｐ＝｜ｒｐ｜２
ｒｐ＝−（ｃｏｓ（ｉ）／ｎａ−ｃｏｓ（ｊ）／ｎｂ）／（ｃｏｓ（ｉ）／ｎａ＋ｃｏｓ（ｊ）／ｎｂ）
Ｒｓ＝｜ｒｓ｜２
ｒｓ＝（ｎａｃｏｓ（ｉ）−ｎｂｃｏｓ（ｊ））／（ｎａｃｏｓ（ｉ）＋ｎｂｃｏｓ（ｊ））
ここで、Ｒｐはｐ偏光成分の反射率で、Ｒｓはｓ偏光成分の反射率、ｉは入射光角度、ｊは屈折角度、ｎａは入射側の媒体の屈折率で、ｎｂは出光側の媒体の屈折率である。
【０００５】
フレネルレンズシート４４のベースシート１およびフレネルレンズ部２の屈折率を１．５５（ｎａ）とし、空気の屈折率を１（ｎｂ）とした場合の、フレネルレンズ面３から光が屈折し出光する時の反射率を図４に示す。図４から明らかなように、フレネルレンズ面３への入射光角度ｉが大きくなるとｐ偏光１２とｓ偏光１１の反射率差が大きくなる。入射光線が自然光（偏光性なし）ではなく、偏光性を有している場合、その偏光性の差（ｐ偏光とｓ偏光の比率）によって透過率に大きな差が生じることが解る。屈折出光する映像光の透過率に波長依存性が生じた場合、観察者には、色むらとなって観察されることになる。
【０００６】
ＬＣＤライトバルブの光源では、その構造上、液晶セルのシャッタ−（ライトバルブ）を通過して出光される光は、強い直線偏光性を有している。また、赤、緑、青の３原色の光からなっている。この光源からの光が複屈折性を有する材料を通過するときに、その通過する光の波長による複屈折量によって、それぞれ偏光性が付与されることになる。
【０００７】
【発明が解決しようとする課題】
偏光された映像光が複屈折性を有する材料を透過することによって発生する偏光性の差による色むらを防止するプロジェクションスクリーンを開発することである。そのための偏光に起因する色むらの発生しないフレネルレンズ、つまり、そのベースシートを開発することである。
【０００８】
【課題を解決する手段】
第１の発明は、ＬＣＤライトバルブを光源としたプロジェクションディスプレイ４０に使用されるプロジェクションスクリーン４５に関し、このプロジェクションスクリーン４５は少なくとも２枚以上の光学機能を有するシートまたはフィルムから構成され、少なくとも光源からの光を略平行光へと集光させるフレネルレンズシート４４を有し、このフレネルレンズシート４４は、ベースシート１の上にフレネルレンズ部２が熱キャスト法またはＵＶキャスト法で形成し、波長５９０ｎｍにおける複屈折の位置による変化率が４０ｎｍ／ｃｍ以下であることを特徴とする。
【０００９】
第２の発明は、フレネルレンズシート用ベースシート１の最大複屈折量を１０００ｎｍ以下にしたことを特徴とする。
【００１０】
第３の発明は、フレネルレンズシートのフレネルレンズ面３への入射角の最大値を０°以上３８°以下としたことを特徴とする。
【００１１】
第４の発明は、フレネルレンズ用ベースシート１の少なくとも１面にエンボス形状を付与したことを特徴とする。
【００１２】
【発明の実施の形態】
プロジェクションディスプレイの投影された映像の結像面（表示部）に配置される本発明のプロジェクションスクリーン用フレネルレンズシートを以下に説明する。図１、図２に示されるようにプロジェクションスクリーン４５は、光源４１側にフレネルレンズシート４４と、観察側にレンチキュラーレンズシート４３を組み合わせた構成のものが多い。フレネルレンズシート４４は、ベースシート１を光源側とし観察面側にレンズ部２を設け、光源４１から拡大投影された映像光１０を略平行へ集光させる機能を有している。フレネルレンズとしてはサーキュラーフレネルと呼ばれる同心円状にプリズムレンズが形成されているのもが古くから使用されている。レンチキュラーレンズシート４３はフレネルレンズシート４４によって略平行にされた映像光を多くの観察者に提供するために光拡散させる機能を有している。ディスプレイの利用状況を考え、水平方向の拡散角を広く、垂直方向の拡散角を水平方向よりも狭くするのが一般的である。そのため、水平方向の拡散角度が広くなるようなレンズ要素を設けるために、生産性をも考慮すると垂直方向に伸びるレンズ要素が水平方向に連続して並んでいるものが多い。さらに、外光によるコントラストの低下を抑えるために光吸収層をレンズ要素の中に設けた物が多く、そのため、垂直方向に光吸収層が設けられている物が多い。
【００１３】
フレネルレンズシートは、熱プレス法、熱キャスト法等で従来製造されてきたが、生産性向上のため、ベースシート（または、フィルム）上に、ＵＶ硬化性樹脂、フレネルレンズ形状型を用いてフレネルレンズシート（または、フィルム）を製造する方法が一般的になっている。
【００１４】
図２に示すように光源側にベースシート１、観察側にレンズ部２の向きで使用される。簡単化のため、フレネルレンズのベースシート１とレンズ部２の屈折率は１．５５で同じとし、この界面６では光は屈折しないこととする。すると、光源４１からの映像光１０は、図３に示すようにフレネルレンズのベースシート１の光源側の面５から入光（屈折）し、ベースシート１とレンズ部２の界面６を経て、レンズ部２のレンズ面３から出光（屈折）する。それぞれの材料中での映像光の振る舞いと、各界面での光の挙動によって、色むら等の不具合が発生する場合がある。
【００１５】
まず、反射損失について考えることにする。ベースシート１へ映像光が入光する界面５と、レンズ部２から出光する界面３で反射損失の発生が起こる。界面６については、両者の材料の屈折率を同じとしたので、反射損失は発生しないので、検討対象から除外した。界面５への入射光角度は、プロジェクションディスプレイの光学設計によってさまざまであるが、一般的には中央部で０°で外周部で４０〜５０°以下になる。また、界面３への入射光角度ｉも同様に考えると、一般的には、レンズ部２の材料の屈折率から求められる臨界角以下に設定される。良く使用されるアクリル系のＵＶキャスト材料の屈折率は１．５〜１．６程度であり、それに対応する臨界角は４１．８〜３８．７°になる。その結果、界面５への入射光角度の最大値は、臨界角以下で、かつ、４０°未満に設定されることが多い。図４のフレネルレンズ部２から出光する界面３での反射率の図（レンズ部の材料の屈折率１．５５の時（臨界角が４０．２°で、この角度以上で反射率１００％））と、図５のフレネルレンズ４４のベースシート１（材料の屈折率１．５５の時）へ入光する界面５での反射率の図の比較と、上記各界面への最大入射光角度条件から、界面５での反射損失よりも界面３での反射損失が大きくなるとともに、ｓ偏光とｐ偏光での反射損失の差が大きいことが解る。そのため、界面３へ入射する映像光１０の偏光性に差があると透過率（反射損失）に差が生じ色むらが観察されることになる。
【００１６】
そこで、本発明者は、フレネルレンズ４４を構成するベースシート１の有する複屈折性とフレネルレンズ４４のレンズ面３への入射光角度について検討を行い、本発明に至った。フレネルレンズのベースシートは、様々な製造方法がある。生産性を考慮すると、図７のような押し出し製法が一般的である。押し出し製法の製造条件である、樹脂の押し出し量、ダイス温度、成型ロール温度、冷却ロール温度、引き取り速度、ドロー比等を変更すると様々な複屈折量を有するベースシートが製造できる。この事は、特開２００２−９０８９１にも開示されている。
【００１７】
ベースシート１の複屈折の位置による変化率については、複屈折に波長依存性は存在するが、単純化のため、可視光線領域内の５９０ｎｍの波長での測定で代表させることとした。複屈折率の測定には、大塚電子製やＫＳシステムズ製の市販の測定装置が使用できるが、本発明者は、ＫＳシステムズ製の自動複屈折率計ＣＯＢＲＡ−２１Ｄ型を用いた。ベースシートの位置による変化率は、１０ｍｍ間隔で測定を行い、１ｃｍあたりの変化率とした。
【００１８】
製造された種々の複屈折量のベースシート１を用いてフレネルレンズ４４を作製し、図１のように、ＬＣＤライトバルブを光源４１（ソニー社製グランドベガ）としてセットし、目視で色むら発生状況の性能評価を行った。結果を表１に示す。ベースシート１の複屈折率の測定には、ＫＳシステムズ製の自動複屈折率計ＣＯＢＲＡ−２１Ｄ型を用いた。５９０ｎｍの波長での測定を実施した。色むら発生状況は、評価点が高い方から、▲１▼全白画面で色むらが見えないもの、▲２▼全白画面で見えるが、静止画（絵柄有り）と動画では判らないもの、▲３▼全白画面で見え、静止画（絵柄有り）でも見えるが、動画では判らないもの、▲４▼動画で部分的に見えるもの、▲５▼動画で見えるもの、の順位付けができ、その順位で評価の高いものから順にデータを並べた。
【００１９】
【表１】
2004085736.tif 000003
【００２０】
プロジェクションスクリーンとして実用上は、▲１▼と▲２▼の評価のものがＯＫレベルである。▲３▼は、ディスプレイの使用状況で判断しなければならないが、静止画利用が少ない民生用途等の場合はぎりぎりＯＫレベルと判断できる。▲４▼と▲５▼はＮＧレベルと判断する。表１から明らかなように、複屈折の変化率が、３０ｎｍ／ｃｍ未満の時、色むらが観察されず、３０〜４０ｎｍ／ｃｍの時は、色むらが観察されないか、全白画面で色むらは観察されるが、動画にすると判らなくなる程度の弱いもので実用上問題はない。５０ｎｍ／ｃｍ以上の時、色むらが動画でも観察された。つまり、フレネルレンズ４４のベースシート１の複屈折の変化率が４０ｎｍ／ｃｍ以下の時、色むらが観察されず良い映像を観察することができることが判り、本発明に至った。
【００２１】
さらに良く、表１の結果を考察すると、同じ複屈折の変化率３０ｎｍ／ｃｍであるサンプル３，４，５，７と実施例１の評価順位から最大複屈折量が大きいものほど評価順位が低下する傾向があることが解る。実施例１とサンプル３，４では、評価点のランクが１番目の全白画面で見えない。しかし、サンプル５は、評価点のランクが２番目の全白画面で見えるが動画では判らないレベルになってしまう。さらに、サンプル７は、評価点のランクが３番目で色むら発生に大きな寄与示す複屈折の変化率が３５ｎｍ／ｃｍのサンプル６と変化率が４０ｎｍ／ｃｍの実施例２よりも評価順位が低く、逆転現象が起こっている。この逆転現象と評価点のランクの▲２▼から▲３▼への低下は、最大複屈折量８５０ｎｍのサンプル５では発生していない。従って、最大複屈折量を１０００ｎｍ以下にすることでより確実に色むらの発生状況を抑えることができる。
【００２２】
さらにまた、サンプル４の結果から、色むらの観察されない条件、つまり、複屈折の変化率４０ｎｍ／ｃｍ以下であって、かつ、最大複屈折量が１０００ｎｍ以下の条件を満たしていても界面３への入射光角度が３９°と大きいと色むらが観察されることが判る。また、コーナー部でしか色むらは観察されていないので、色むらが観察される光学条件を検討した結果、入射光角度が３８°以下で、複屈折の変化率４０ｎｍ／ｃｍ以下であって、かつ、最大複屈折量が１０００ｎｍ以下の時、確実に色むらが観察されず良い映像が提供できることが解った。
【００２３】
フレネルレンズシート４４のレンズ面３への入射光に入射角度分布と偏光性の分布を持たせることにより色むらが改善できると考え、フレネルレンズシート４４のベースシート１の入光面側の面５（レンズ部２の反対側面）の表面にエンボス形状を設け色むら評価を行った。エンボス量の評価は、村上色彩社製の反射・透過・ヘイズメータ（ＨＲ−１００）で測定したヘイズ値で行った。評価結果からヘイズ量は１０〜７０が好ましく、より好ましくは２０〜５０のものが良いことが判った。評価結果から表面エンボスの効果が大きいことが解った。また、エンボスの効果によって、ゴーストと映像がぎらついて見えるシンチレーションも合わせて改善された。
【００２４】
ベースシート１の両面にエンボス形状を設けることもできるが、レンズ部２側に設けた場合、ベースシート１とレンズ部２での屈折率差がわずかな場合、その効果はほとんどない。ベースシートの材料としては、アクリル樹脂やポリカーボネート樹脂、ポリスチレン等が利用されそれらの屈折率は、１．５〜１．６程度である。また、レンズ部２の材料も熱キャスト用の材料としては上記のものが利用され、ＵＶキャスト法の材料としては反応性オリゴマー（エポキシアクリレート系、ウレタンアクリレート系、ポリエーテルアクリレート系、ポリエステルアクリレート系、ポリチオール系等）と反応性のモノマー（２−エチルヘキシルアクリレート、β−ヒドロキシアクリレート、テトラヒドロフルフリルアクリテート等）の混合物が利用されるがこれらの屈折率も１．５〜１．６程度となる。そのため、ベースシート１とレンズ部２の界面６での屈折率差はわずかになり、エンボスの効果もほとんど発生しない。つまり、エンボス形状は、ベースシート１の両面に形成できるが、その効果を考えると、レンズ部２の逆側である光源側の片面に設けることが効果的である。
【００２５】
このベースシート１の製造方法および製造装置は、図７に示されるように、押し出し機のダイス９１から溶融されされた熱可塑性樹脂（アクリル樹脂、ポリカーボネート樹脂、ポリスチレン樹脂等）を対峙する２本の成型ロール９２、９３間を通して、ベースシート１の両面を成型し、通常１本以上ある冷却ロール（図９では、２本の冷却ロール９４、９５）を通し、冷却、内部歪の調整（平板化）を行い、引き取りロール９６で引き取られ、その後、所定のサイズに断裁される。この２本の成型ロール９２、９３のいずれか１本をエンボス加工した成型ロール型にすることで、ベースシート１の片面をエンボス形状とすることができる。
【００２６】
【実施例１】
以下、実施例により本発明を詳細に説明する。画面サイズ６０インチ（１２２０×９１５ｍｍ）で光源をＬＣＤライトバルブ（ソニー社製グランドベガ）で、投影距離７５０ｍｍのプロジェクションディスプレイで映像（色むら）評価を行った。図６に示すようにプロジェクションディスプレイ４０として、プロジェクションスクリーン４５は、レンチキラーレンズ４３として入光側に光吸収層５１を設けたレンチキュラーレンズタイプのものと当発明のフレネルレンズ４４の組合せとした。フレネルレンズは、ベースシートとして、１．３ｍｍ厚さとし、フレネルレンズのレンズ角度θの設計はフレネルレンズシートの焦点距離が７５０ｍｍとした。この時、最外周部のフレネルレンズ部への入射光角度ｉは、約３５°となる。
【００２７】
幅１５００ｍｍの押し出し機で、屈折率１．５３のアクリル・スチレン共重合体樹脂で、成型ロール１本をエンボス形状としベーシートを作製した。このベースシートの複屈折率を、ＫＳシステムズ製の自動複屈折率計ＣＯＢＲＡ−２１Ｄ型を用い、５９０ｎｍの波長での測定を実施した。ベースシート中央部の複屈折は１００ｎｍで複屈折の変化率は、１０ｍｍ間隔で測定し、１０ｎｍ／ｃｍ以下であった。最外周部の複屈折は、５００ｎｍで複屈折の変化率は３０ｎｍ／ｃｍであった。中央部から外周部にかけて、中央部から３００ｍｍ以内では、中央部とほぼ同じ複屈折率値を示し、その外側部分で複屈折は増加し、最外周で上記５００ｎｍの値を示した。複屈折の変化率で３０ｎｍ／ｃｍを超える部分はなかった。ヘイズ値は３０〜４０であった。このベースシートを用いて、硬化後の屈折率１．５５のＵＶキャスト用のエポキシアクリレート樹脂で、ＵＶ硬化法でベースシートのフラット面側にフレネルレンズを成型した。上記プロジェクションディスプレイで映像評価を実施したところ、色むらは観察されなかった。
【００２８】
【実施例２】
実施例１と同じプロジェクションディスプレイ用として、成型ロールを２本とも鏡面とし、ベースシートを製造条件を変えて作製し、フレネルレンズを上記実施例１と同じ、フレネルレンズの焦点距離として、同じＵＶ硬化法で作製した。ベースシートの厚み１．５ｍｍで、中央部の複屈折が１００ｎｍで、複屈折の変化率は、１０ｍｍ間隔で測定し、１０ｎｍ／ｃｍ以下であった。最外周部の複屈折は、５００ｎｍで複屈折の変化率は３０ｎｍ／ｃｍであった。中央部から外周部にかけて、中央部から３００ｍｍ以内では、中央部とほぼ同じ複屈折率値を示し、その外側部分で複屈折は増加し、最外周で上記５００ｎｍの値を示した。複屈折の変化率で４０ｎｍ／ｃｍを超える部分はなかった。映像評価を実施したところ、色むらは静止画・動画では観察されなかったが、全白画面では観察された。ゴースト、シンチレーションは、実施例１よりも強いものであった。
【００２９】
【比較例１】
実施例１と同じプロジェクションディスプレイ用として、成型ロールを２本とも鏡面とし、ベースシートを製造条件を変えて作製し、フレネルレンズを上記実施例１と同じ、フレネルレンズの焦点距離として、同じＵＶ硬化法で作製した。ベースシートの厚み１．３ｍｍで、中央部の複屈折が１００ｎｍで、複屈折の変化率は、１０ｍｍ間隔で測定し、１０ｎｍ／ｃｍ以下であった。最外周部の複屈折は、６００ｎｍで複屈折の変化率は８０ｎｍ／ｃｍであった。中央部から外周部にかけて、中央部から３００ｍｍ以内では、中央部とほぼ同じ複屈折率値を示し、その外側部分で複屈折は増加し、最外周で上記６００ｎｍの値を示した。複屈折の変化率が４０ｎｍ／ｃｍを超える部分があり、最大変化率は、１００ｎｍ／ｃｍであった。映像評価を実施したところ、色むらが動画でも観察された。色むらは、複屈折の変化率が大きいところほど強く観察された。ゴースト、シンチレーションも観察された。
【００３０】
【発明の効果】
第１の発明によれば、強い偏光性を有するＬＣＤライトバルブを光源としたプロジェクションディスプレイに、波長５９０ｎｍにおける複屈折の位置による変化率が４０ｎｍ／ｃｍ以下のベースシートの上にフレネルレンズ部が熱キャスト法またはＵＶキャスト法で形成されているフレネルレンズと他の光拡散シート（例えばレンチキラーレンズシート）を組み合わせたプロジェクションスクリーンを配置することによって、光源の偏光性と光路に存在する複屈折を有する材料に起因するｓ偏光とｐ偏光の差による色むらの発生か防止され、良好な映像を提供するものである。
第２の発明では、複屈折量の最大値を１０００ｎｍ以下とし、より確実に色むらの発生を防止し、良好な映像を提供するものである。
第３の発明は、偏光性に起因する色むらの発生が強く出やすいレンズ面への入射光角度を抑え、さらに確実に色むらを防止し、良好な映像を提供するものである。
第４の発明は、フレネルレンズのベースシートの光源側（入光面側）にエンボス形状を設けることによって色むらの発生を抑え、さらに、ゴースト、シンチレーションをも同時に改善するものである。
【図面の簡単な説明】
【図１】プロジェクションディスプレイの説明図
【図２】プロジェクションスクリーンの説明図
【図３】フレネルレンズシートの説明図
【図４】フレネルレンズのレンズ面からの出光時の反射率
【図５】フレネルレンズのベースシート面への入光時の反射率
【図６】実施例１のプロジェクションスクリーンを使用したプロジェクションディスプレイの説明図
【図７】フレネルレンズ用ベースシート製造装置説明図
【符号の説明】
ｉ　フレネルレンズのレンズ面への入射光角度
ｊ　フレネルレンズのレンズ面からの出光角度
θ　フレネルレンズのレンズ角度
１　フレネルレンズのベースシート
２　フレネルレンズのレンズ部
３　フレネルレンズのレンズ面
４　フレネルレンズの非レンズ面
５　フレネルレンズのベースシートの光源側の面
６　フレネルレンズのベースシートとレンズ部の界面
１０　映像光
１１　ｓ偏光のフレネルレンズのレンズ面からの出光時の反射率
１２　ｐ偏光のフレネルレンズのレンズ面からの出光時の反射率
１３　ｓ偏光のフレネルレンズのベースシート面への入光時の反射率
１４　ｐ偏光のフレネルレンズのベースシート面への入光時の反射率
４０　プロジェクションディスプレイ
４１　光源
４２　ミラー
４３　レンチキュラーレンズシート
４４　フレネルレンズシート
４５　プロジェクションスクリーン
５１　光吸収層
９０　フレネルレンズのベースシート製造装置
９１　押し出し機のダイス
９２　成型用ロール１
９３　成型用ロール２
９４　冷却ロール１
９５　冷却ロール２
９６　引き取りロール
【図１】
2004085736.tif 000004
【図２】
2004085736.tif 000005
【図３】
2004085736.tif 000006
【図４】
2004085736.tif 000007
【図５】
2004085736.tif 000008
【図６】
2004085736.tif 000009
【図７】
2004085736.tif 000010